(57)【要約】      （修正有）【課題】トランスポートパケットに現れる圧縮デジタルビデオ及び制御データのソースを処理する装置を提供する。【解決手段】装置１００は、ソース１０１Ａに応じてトランスポートパケットからコピー制御データ１０４Ａを取得する取得手段１０４を有する。発生手段１０５はコピー制御データ１０４Ａに応じてコピー制御語（ＣＣ）を発生させる。形成手段１０８はコピー制御語（ＣＣ）及びトランスポートパケット（ＴＰ）を含むスーパーパケット（ＳＰ）を形成する。【選択図】図１
2010283871.tif 000002
【特許請求の範囲】
【請求項１】
トランスポートパケットを処理する装置であって、
前記トランスポートパケットからコピー制御データを取得する手段と、
前記コピー制御データに応じてコピー制御語を生成する手段と、
前記コピー制御語及び前記トランスポートパケットを含むスーパーパケットを形成する手段と、
を備える、前記装置
【発明の詳細な説明】
【技術分野】
【０００１】
本発明は、デジタルオーディオ、ビデオ、及び、データ処理システムを結合するバスインタフェースシステム／装置に係わり、特に、記録装置の制御のためのカップリング信号に関する。
【背景技術】
【０００２】
地上波高品位テレビジョン放送用のGrand Alliance ＨＤＴＶシステム、或いは、一般的にＮＴＳＣシステムを利用するDirecTVTM（商標）直接放送衛星テレビジョンシステムのようなデジタル圧縮オーディオ及びビデオ伝送システムの出現によって、実質的にスタジオ品質のオーディオ及びビデオ信号を視聴者に配信することが可能であることが実証された。しかし、このような典型的な品質信号は、例えば、ＶＨＳ、Ｓ−ＶＨＳ、８ｍｍ及びＨｉ−８のような一般的に利用可能な消費者向けアナログ記録フォーマットを用いて後で見るため時間が経過すると直ぐに劣化する。
【０００３】
消費者向け品質デジタルビデオ記録カメラ、例えば、ＤＶＣの導入は、消費者向けデジタル記録によって実質的に元の素材と識別できないサウンド及びピクチャーの品質が得られることを示す。例えば、Ｄ−ＶＨＳ、ビデオディスク、ＤＶＤ、デジタルカメラ、スキャナー、コンピュータのような他の消費者向け製品は、サウンド及びピクチャーの品質を元の録音ソースの品質と本質的に一致させたまま多数の世代のデジタル信号のダビング、複写、複製、若しくは、編集を行うデジタル処理能力を備えている。このような消費者向けデジタル機器によって与えられる高いレベルの技術的品質及び性能は、許可されていないコピーによる著作権侵害に関して重要な問題を生じる。“VIDEO HOME RECORDING ACT of 1996”の形で提案された制度は、著作権所有者が著作権保護された素材を視る視聴者の規模を決定し制御するため、デジタルオーディオ／ビデオ信号にコピー防止情報が含まれることを要求する。コピー防止の実施のためには、コピー制御情報が著作権保護された素材と共に、若しくは、著作権保護された素材の中に組み込まれて、引き続く処理手続きの間を通じて維持されることを要求する。また、このようなコピー制御情報は、後の処理の結果として、著作権所有者の知的財産権を制御し続けるように改められてもよい。記録を制御し、記録の次にコピー制御データを改めるため、入力データストリームからコピー制御データを取得するデジタル記録装置は、欧州特許出願公開第０４９８６１７号（特許文献１）に記載されている。著作権データ及びコピー制御データを含むＰＥＳヘッダを収容するＭＰＥＧビットストリームを受容する別のデジタル記録装置は、欧州特許出願公開第０７１７５６４号（特許文献２）に記載されている。この記録装置は、コピー防止情報を復号、解読し、それに応じて、記録のためのビットストリームを暗号化する。欧州特許出願公開第０５７４８９２号（特許文献３）に記載された第２の実施例は、アナログビデオ信号の垂直帰線消去期間の１水平間隔で重畳された情報を用いるコピー制御に関する。
【先行技術文献】
【特許文献】
【０００４】
【特許文献１】欧州特許出願公開第０４９８６１７号明細書
【特許文献２】欧州特許出願公開第０７１７５６４号明細書
【特許文献３】欧州特許出願公開第０５７４８９２号明細書
【発明の概要】
【０００５】
本発明の方式では、装置は、トランスポートパケット内に発生する圧縮デジタルオーディオ、ビデオ及び制御データのソースを処理する。この装置は、ソースに応じてトランスポートパケットからコピー制御データを取得する取得手段を含む。発生手段は、コピー制御データに応じて、コピー制御語を発生する。形成手段は、コピー制御語を含むスーパーパケットとトランスポートパケットとを形成する。本発明の更なる方式では、コピー制御情報はパケット化されたソースから取得され、制御データバスを介して結合するため処理される。本発明の他の方式では、複製装置は、コピー制御ヘッダを備えたフォーマット化されたトランスポートパケットを受信し、コピー制御情報に応じて、複製を開始し、フォーマット化されたトランスポートパケット及びコピー制御ヘッダの更なるコピーを排除するため、コピー制御ヘッダを改める。本発明の更に別の方式において、複製装置はフォーマット化されたトランスポートパケット及びコピー制御ヘッダ、並びに、コピー制御情報を制御データバスから受信する。複製装置は、二つのソースからのコピー制御情報が対応する場合に限り、コピー制御情報に含まれるコマンド実行する。本発明の更に別の方式において、複製装置は、制御データバスからコピー制御情報を周期的に受信し、周期的な受信が行われないとき、コピー禁止状態が与えられる。本発明の別の方策は、コピー制御情報に応じて複製装置を制御し、コピーは行われが、可視化のためのトランスポートパケットの復号化が排除される。
【図面の簡単な説明】
【０００６】
【図１】本発明の種々の方式を利用する典型的なデジタル受信器及びデジタル複製器の構成図である。
【図２】図２Ａ及び図２Ｂは、スーパーパケットを利用するバス通信用の本発明の方式を説明する図である。
【図３】図３Ａ及び図３Ｂは、本発明の方式を含む典型的なバス接続されたデジタルソース及び複製システムを説明する図である。
【図４】本発明の方式を含む典型的なデジタル信号ソース及びアナログ複製装置の説明図である。
【発明を実施するための形態】
【０００７】
Grand Alliance方式ＨＤＴＶ地上波システム及びDirecTVTMシステムは、番組素材をトランスポートパケットで伝送するため、ＭＰＥＧ標準及びＭＰＥＧ類似標準を利用する。トランスポートパケットは、一体的に多重化され、伝送のため処理される多数の番組を収容する。受信器側で誤り訂正が行われ、ユーザ定義番組パケットストリームは、多重化された番組の混成から分離され、組み立てられる。消費者向けデジタルオーディオ及びビデオ製品、コンピュータ、映像化装置等が次々と出現することにより、相互接続用の簡単な低コスト手段が必要とされる。例えば、直列データバスはＩＥＥＥによって標準化され、１３９４規格として知られている。１３９４規格は、多数の圧縮デジタルオーディオ、ビデオ、ＭＩＤＩ及び装置制御コマンドを二つの撚り線対形の導体上で多重化する。第３の導体対は、電源グランド用の１個の導体に、電力挿入若しくは電力取得のための選択的なカップリングを与える第２の導体を提供する。
【０００８】
装置は、標準化されたコネクタで終端された小型の薄い柔軟性のあるケーブルを用いてデージーチェイン式に相互接続される。簡単化されたバスの一例は、図１のブロック図に示される。米国特許出願第０８／２９２，９０８号及びＰＣＴ出願第ＰＣＴ／ＵＳ９６／０７５８１及びＰＣＴ／ＵＳ９６／０７３９１に記載されている簡単化されたバスは、直列デジタルオーディオ、ビデオ及び制御トランスポートパケットストリームのカップリングを行う。
【０００９】
以下、図１に示されたシステムを簡単に説明する。統合形受信器デコーダ（受信器・デコーダ統合体）又はＩＲＤ１００は、例えば、アンテナ１０若しくは図示しないケーブルソースから無線周波信号を受信する。無線周波信号は、ユーザ選択番組を受信するためチューナー１１により同調される。チューナー出力信号はパケットソースブロック１０１に接続され、パケットソースブロック１０１は変調された伝送信号を復調し、誤り訂正する。パケットソース１０１からの出力は、ユーザ選択番組トランスポートストリームＴＰを、受信されたパケット番組中の他の番組ストリームから逆多重化若しくは分離するブロック１０２に接続される。ユーザ選択トランスポートストリームＴＰは、ＭＰＥＧ方式復号化のため、表示１００用のオーディオ及びビデオ信号を発生するデコーダ１０９に結合される。
【００１０】
逆多重化されたユーザ選択番組トランスポートストリームＴＰは、図２Ｂに示されるように、例えば、スーパーパケットとしてブロック１０８でフォーマット化される。スーパーパケットは、ユーザ選択トランスポートストリームＴＰと制御データヘッダとを含む。図２Ｂには、タイプスタンプＴＳと、コピー制御データビットと、記録装置の再生速度を決めるビットと、将来の使用のため確保された２ビットとを含む３２ビットからなる典型的な制御データヘッダが示されている。スーパーパケットＳＰは、オーディオ及びデータバス５００を介して、記録若しくは複製装置２００に接続される。
【００１１】
データバス５００はインタフェースポート１０２によって受信され、典型的な制御データを読むデマルチプレクサ（ＤＥＭＵＸ）３０に接続される。コピー制御データビットは、例えば、無制限コピー、単１回コピー複製、又は、コピー禁止のような多数の実現可能な制御条件をアサートする。かくして、要求された制御条件を実現するため、コピー制御データビットは種々の複製装置サブシステムに制御可能式に接続されたコントローラ２０８に接続される。コピー制御条件から得られた種々の制御局面の詳細な説明は後述する。
【００１２】
スーパーパケットＳＰ若しくはＳＰａは、ブロック２０６Ａでの記録、複製若しくはコピー処理のため接続される。スーパーパケットは、誤り検出及び訂正のため処理され、スペクトルエネルギー内容を修正するため変換される。ブロック２０６Ａからの出力信号ストリームは、媒体２９９、例えば、磁化可能表面にコピー２１０を形成するため接続される。記録装置２００が再生モードで動作されるとき、コピー２１０は媒体２９９から変換され、再生プロセッサ２０６Ｂに接続される。再生プロセッサ２０６Ｂは、記録信号エンコーディングを基本的に反転し、記録媒体２９９から発生したコピー２１０の誤りを検出、訂正する。誤り訂正信号ＰＢＳＰは、デマルチプレクサ３１及びスーパーパケット復元器３２に供給される。再生スーパーパケットＳＢＳＰの制御データヘッダはデマルチプレクサ３１によって読み出され、種々の場所に供給される。ヘッダからのタイムスタンプＰＢＴＳは、クロックコントローラ３９に供給され、タイムスタンプ値がブロック３２からの出力スーパーパケットＲＳＰの出力パケットタイミング又は開始を決めるため利用される。再生され、復元されたスーパーパケットＲＳＰは、ＡＶＤバス５００を介して統合形受信器デコーダＩＲＤ１００への伝送用インタフェース１０２に接続される。
【００１３】
通信されるべき信号は、ＭＰＥＧ２ビデオ標準のシステムレイヤ、又は、Grand Alliance信号フォーマットのトランスポートレイヤに規定されるようなトランスポートパケットの形式で供給される。ＭＰＥＧ２ビデオ標準並びにGrand Alliance信号フォーマットのトランスポートレイヤの両方で、トランスポートパケットは、局部システムクロックの元のエンコーダクロック周波数への再同期を許可するタイムスタンプ又はＰＣＲと関連する。したがって、局部システムクロック発生器を同期させた後、トランスポートパケットは、例えば、交換式バス構造及び処理などによる伝送中に累積するジッター若しくはタイミング変動を除去するため処理される。図１において、番組クロック基準ＰＣＲは、デマルチプレクサ１０２によって読み出され、２７ＭＨｚの公称周波数を備えた同期クロック発生器１７に供給される。ＭＰＥＧ標準は、番組クロック基準ＰＣＲがトランスポートストリーム内に断続的に出現することを許可する。結果として得られる断続的な発振器同期はＭＰＥＧ方式デコーディングを行うため完全に適当である。しかし、トランスポートパケットストリームは、例えば、移動伝送から生じ信号フラッタ及び多重路伝送反射を生ずる時間ベース変調を受ける。時間ベース変調は、記録及び再生バッファリング、並びに、機械的不安定性からも生じる。このような時間ベース変動若しくは誤りは、発振器同期レンジ若しくは変化の速度を上回るので、各トランスポートパケットは、中に収容されるトランスポートパケットの出現に特有のタイムスタンプを収容するスーパーパケットを形成する。トランスポートパケット毎にタイムスタンプを設けることにより、望ましくない時間ベース変調が訂正されるようになり、トランスポートパケットが記録されず、或いは、妨害されない場合に復号化されるときと実質的に同じ時間に各トランスポートパケットのデコーダへの配信が容易に行えるようになる。
【００１４】
図２Ｂには、３２ビットの制御データヘッダと、ＧＡ或いはＤｉｒｅｃＴＶTMシステムの信号を表現する１８８バイト若しくは１４４バイトのトランスポートパケットとを含むスーパーパケットが示されている。制御データヘッダは、２０ビットのタイムスタンプと６ビットのコピー制御データと、４ビットの再生速度コードと、２ビットの予備データとを含む。タイムスタンプは、特定の時点、例えば、フレームクロックパルスＦＣの発生時に取られた発振器カウントのサンプルであり、上述の通り、各スーパーパケットに加えられるタイミングジッター及び変動の訂正のため使用される。再生速度コードは、特定の信号が記録若しくは再生されるべき速度を決めるため記録装置によって使用される。再生速度は、記録速度に対し符号化され、読み出され、ＡＶＤバスに接続された記録装置によって利用される。再生速度コードの目的は、比較的高いビットレートで記録し、通常のビットレートで再生することである。コピー制御データは、デジタルコピー制御若しくはＣＧＭＳ−Ｄ、アナログコピー制御若しくはＣＧＭＳ−Ａ、並びに、ＭＡＣＲＯＶＩＳＩＯＮTM（商標）によって開発されたアナログＡＰＳシステム用の制御情報の制御を行う３個の２ビット語を含む。以下の表１は６個のコピー制御データビットの割付及び機能を表す。
【表１】
2010283871.tif 000003
【００１５】
種々の機器システムの組合せは、例えば、アナログ若しくはデジタル記録装置・再生装置を含むと考えられ、このような機器は異なるコネクション及び制御能力を有し、記録及び／又は再生モードにおける動作を考察する必要がある。種々の組合せは、一般的に数種類の典型的なシステムに分類される。
【００１６】
図１は、デジタル受信器及びディスプレイが簡単なデータバス構造によってデジタル記録装置に接続される第１の典型的なシステムを示す図である。しかし、データバス構造とは無関係に、コピー制御又はＣＧＭＳデータは、選択されたパケットストリームから復元若しくは逆多重化され、記録若しくは複製装置に供給するためフォーマット化される必要がある。記録装置若しくは複製装置はフォーマットされたコピー制御ビットを逆多重化若しくは復元し、その中に指定された制御機能を実施する必要がある。図１において、コピー制御データは、ブロック１０４で選択されたトランスポートパケットストリームから逆多重化され、ブロック１０５でコピー制御語発生器に供給される。スーパーパケットは、選択されたトランスポートパケットストリームを、ブロック１０５からのコピー制御語、ブロック１０７からのタイムスタンプ、及び、ブロック１０６からの再生速度コードと結合するブロック１０８でフォーマット化される。
【００１７】
上述のように、６ビットコピー制御語は、デジタル及びアナログの両方のシステムの制御を行う。したがって、図１の第１の典型的なシステムの場合、デジタル記録装置２００のデマルチプレクサブロック３０は、スーパーパケットヘッダのビット６及び７として出現するデジタルコピー制御若しくはＣＧＭＳ−Ｄコマンドを取得する。ビット６及び７は、三つの状態、すなわち、無制限コピー許可と、コピー禁止と、１回のみのコピー許可とを定義する。分離されたビット６及びビット７は、記録装置２００の種々のサブシステムに制御可能的に接続された制御ブロック２０８に供給される。ＣＧＭＳ−Ｄのビット６及び７が無制限にコピーを許可する第１の状態を示すとき、コントローラ２０８による制御動作は要求されず、コピー２１０が媒体２９９上に形成される。
【００１８】
ＣＧＭＳ−Ｄのビット６及び７がコピーを禁止する第２の状態を示すとき、コントローラ２０８は制御ラインＩＮＨを介して記録プロセッサ２０６Ａを禁止状態にする。また、記録装置を通る電子信号路、或いは、ＥＥモードは、ビット６及び７によるコピー禁止に応じて阻止される。コントローラ２０８は、ユーザ選択番組の禁止された記録状態を示すオンスクリーン表示メッセージを発生させる。オンスクリーン表示メッセージは記録装置２００内で発生されてもよく、或いは、ＩＲＤ１００内で発生させても構わない。
【００１９】
統合形受信器デコーダ１００は、ＣＧＭＳ−Ｄのビット６及び７を逆多重化し、解釈する。そのため、記録禁止状態が要求されるとき、トランスポートパケット又はスーパーパケットの直列データバスへの接続はＩＲＤ１００内で阻止される。
【００２０】
ビット６及び７によって決まる第３の状態、すなわち、１回だけのコピー許可状態は、コピー制御ビットが記録装置２００による複製の前、若しくは、複製と同時に改められることを必要とする。かくして、スーパーパケットヘッダのＣＧＭＳ−Ｄコマンドビット７は、表１に示されるように、論理０から論理１に変更される。図１において、デマルチプレクサ３０からのスーパーパケットＳＰは、コントローラ２０８により発生された制御信号ＲＳに応じてビット７の論理状態を改めるリセットＣＣブロック２０４に供給される。かくして、更なるコピーを阻止するＣＧＭＳ−Ｄコマンドを含む典型的なスーパーパケットＳＰの信号コピー２１０は複製される。
【００２１】
他の有利な制御状況において、著作権所有者は、典型的なライブイベントの生の視聴は、ライブイベントの記録によって得られた時間的にシフトした実時間ではない視聴よりも高い価格が付けられる差分的な価格構造を設定する。かくして、ＣＧＭＳ−Ｄのビット６及び７は、例えば、再生速度領域内の少なくとも１ビット、或いは、予備データビットによって信号通知されたデコーダ抑止と共に、１回だけのコピーを許可する第３の状態を示す。しかし、ユーザ選択番組ストリームに存在する他のコピー制御又は著作権制御データは、例えば、ブロック１０４で逆多重化される。このようにブロック１０４からのフィルタ処理若しくは逆多重化処理された制御データは、ディスプレイ９９での即時的な実時間視聴のため受信された信号のブロック１０３による暗号解読若しくはブロック１０９による復号化を禁止するためコントローラ１１１に供給される。また、コントローラ１１１は、この視聴禁止コマンドをデータバス５００の制御導体を介して記録装置２００ＲＰに通知する。データバス５００からの制御コマンドは、信号ＩＮＨＰＢによって、入力パケット信号の記録装置出力への電子若しくはＥＥカップリングを阻止するコントローラ２０８に供給される。記録されたコピーの再生及び出力データ発生は容易に行われる。その理由は、コピーが埋め込まれた視聴阻止コマンドを含むトランスポートパケットにより構成されるとしても、コピー制御語の典型的なビット７は更なるコピーを禁止するため記録されるときに改められるからである。このようにＩＲＤ１００は、典型的なビット６及び７の状態を埋め込まれた視聴禁止コマンドと論理的に比較し、再生だけのコピーが実時間ではないディスプレイ９９での視聴のため復号化されることを推定する。
【００２２】
図３Ａは、デジタル記録・再生装置２００Ｐが簡単なデータバス構造を介して、デジタル受信器１００及びディスプレイ９０に接続される第２の典型的なシステムを機能ブロックとして示す図である。
【００２３】
図１に示された機能ブロックと同じ機能を表す図３Ａの機能ブロックは同じ番号が付される。図３Ａは、図示されない媒体からのコピー２１０の再生を示し、コピー２１０は、典型的なスーパーパケットヘッダ及びトランスポートパケットの両方に存在するデジタルコピー制御若しくはＣＧＭＳ−Ｄコマンドを含む。
【００２４】
コピー制御ビットは上記の３種類の状態を定義する。コピー制御ビットが無制限コピーを許可するとき、制御応答が再生装置２００Ｐによって要求若しくは開始されないことは明らかである。第２及び第３のコピー制御状態は、コピーを排除し、或いは、１回だけのコピーを許可する。しかし、図３Ａは再生装置２００Ｐからデジタル受信器１００及びディスプレイ９９へのコピー２１０のデジタル再生を示すので、受信器１００は複製ができないと考えられ、制御応答は再生装置２００Ｐによって要求若しくは開始されない。
【００２５】
しかし、図３Ｂは、デジタル再生装置２００Ｐとデジタル複製装置２００Ｒの間の相互接続を示し、再生装置２００Ｐによって再生されたビットにより決定されるコピー制御応答の実行を要求する。図３Ａ及び３Ｂから明らかなように、再生装置２００Ｐは、信号の宛先及び用途、すなわち、図３Ａにおける復号化及び視聴化並びに図３Ｂにおける複製を差別化するためコピー２１０を変換する。図１を参照して説明したように、デジタル複製装置２００Ｒは、ブロック２０３に示されるように、典型的なスーパーパケットからコピー制御ビットを逆多重化し、要求されたコピー制御行動をコントローラ２０８に通信する。かくして、図１に関して説明したように、コピーの夫々のコピー制御ビットが更なるコピーを禁止するよう修正されている場合、コピーは許可、禁止、或いは、１回だけコピー許可される。
【００２６】
変換されたコピー２１０の信号の区別された宛先及びその結果としての用途は、直列データ制御ラインＣＲＬを用いて再生装置２００よって決定される方が有利である。例えば、コピー２１０の再生中に、デマルチプレクサ２０３は、典型的なパケットヘッダのＣＧＭＳ−Ｄビット６及び７を取得し、解釈する。ビット６及び７がコピーを禁止する場合、コントローラ２０８は、直列データバスを介して供給されるべきトランスポートパケット若しくはスーパーパケットの宛先を決めるため、制御ラインＣＲＬを介してポーリングする。データバスによる制御は周知であり、種々の形式で実現され、例えば、コントローラ２０８は全てのバスノードからの応答を要求するメッセージを発生し、これにより、制御バスに接続された装置を識別する。かくして、トランスポートパケット若しくはスーパーパケットは、復号化及び可視化のため供給されるが、バスが記録装置に接続することを阻止する。或いは、コントローラ２０８は、特に、トランスポートパケット若しくはスーパーパケットの宛先として複製を行わない宛先、例えば、デコーダ１００／１０９を指定する。かくして、コピー２１０はコピーが禁止され、復号化及び可視化のため供給されるが、バス上に存在する装置、例えば、デジタル複製装置２００Ｒの決定に応じたバスカップリングを阻止する。
【００２７】
図１、３Ａ及び３Ｂの説明において、記録又は再生装置は、典型的なパケットヘッダから典型的なコピー制御語を逆多重化し得る場合を想定している。しかし、コピー制御データの逆多重化に失敗、若しくは、逆多重化できない複製装置において、コピー制御管理は制御ラインＣＲＬを用いることによって容易に行われる。図１に関して説明したように、コピー制御データは、ブロック１０４において、選択された番組ストリームからフィルタ処理、逆多重化される。コピー制御データは、制御ラインＣＲＬを介した周期的なバス伝送のため、コントローラ１１１に供給してもよい。かくして、コピー制御データは複製装置コントローラ２０８に供給され、要求されたコピー管理を容易に実現する。１回だけのコピー許可により要求されたコピー制御ビットの更新を行えない複製装置において、複製装置は、制御ラインを介して、正しいコピー制御データ、すなわち、コピー禁止を送信する。制御ライン上のコピー制御データは、周期的に送信され、例えば、毎秒少なくとも１回送信される。複製装置が、制御ラインを介して受信されたコピー制御データと、パケットヘッダから逆多重化されたコピー制御データとの差を決めるとき、複製装置は記録若しくは複製を禁止する。しかし、コピー制御データが所定の時間間隔、例えば、１０秒間に亘って制御ラインＣＲＬに存在しないとき、パケットヘッダＣＧＭＳデータは正しいと想定され、コピー管理が簡単に行われる。
【００２８】
図４には、統合形受信器デコーダ１００によってデジタル信号ソースから復号化されたアナログ信号ＡＳに接続されたアナログ記録装置／複製装置３００が示されている。アナログタッピングフラグは、典型的なＤＳＳTM（商標）電子番組ガイドから、例えば、ブロック１０４により逆多重化される。逆多重化されたタッピング若しくはコピー制御データはコントローラ１１１に接続され、次に、コントローラ１１１は、例えば、ＭＡＣＲＯＶＩＳＩＯＮTM装置のようなコピー防止装置１１０を用いて、要求されたコピー管理制御を呼び出す。表１に示されるように、アナログＣＧＭＳ−Ａは、同じ３個のコピー条件、すなわち、無制限コピー、コピー禁止、及び、１回だけのコピー許可をＣＧＭＳ−Ｄとして与える。
【００２９】
無制限コピー許可条件において、アナログ出力信号ＡＳは、信号修正若しくは信号追加を行うことなく、コピー防止ブロック１１０を通過する。コピーが禁止されているとき、コピー防止ブロック１１０は、コピーが使用不能になるが、復号化されたアナログ信号のディスプレイ９９上での直接的な視聴が依然として行えるように復号化されたアナログ信号ＡＳを修正する。この第３の制御条件、すなわち、１回だけのコピー許可は、コピーの前に、コピーが禁止されている素材を含むコピーを明示するようにアナログ信号ＡＳを修正する。記録禁止は、例えば、ライン２１を用いて、アナログ信号の垂直帰線消去期間に符号化される。図４では、逆多重化されたＣＧＭＳ−Ａが垂直帰線消去期間の典型的なライン２１として示されるように、或いは、信号ＡＳとして符号化される。アナログ信号ＡＳが複製装置３００によって受信されたとき、ライン２１はブロック３０１で逆多重化される。第３のコピー管理条件がコピー制御データコントローラ３１１から読み出されるとき、ライン２１上のデータを修正するマルチプレクサ加算器３０２が記録禁止状態を反映するようになる。
【００３０】
本願発明の他の実施例を下記の通り例示する。
１． トランスポートパケット（１０１Ａ）に現れる圧縮デジタルビデオ及び制御データ（１０１Ａ）のソース（１０１）を処理する装置において、前記ソース（１０１）に応じて前記トランスポートパケット（１０１Ａ）からコピー制御データ（１０４Ａ）を取得する手段（１０４）と、前記コピー制御データ（１０４Ａ）に応じてコピー制御語（ＣＣ）を発生させる手段（１０５）と、前記コピー制御語（ＣＣ）及び前記トランスポートパケット（ＴＰ）を含むスーパーパケット（ＳＰ）を形成する手段（１０８）とを有する装置。
２． 前記コピー制御語（ＣＣ）は多数回の複製を許可する制御条件を示す、前記１記載の装置。
３． 前記コピー制御語（ＣＣ）は複製を禁止する制御条件を示す、前記１記載の装置。
４． 前記コピー制御語（ＣＣ）は１回だけの複製を許可する制御条件を示す、前記１記載の装置。
５． デコーダ（１０９）は、前記コピー制御データ（１０４Ａ）に応じて、前記コピー制御データの第１の条件でトランスポートパケット信号の復号化を許可し、前記コピー制御データの第２の条件でトランスポートパケットの復号化を禁止する、前記１記載の装置。
６． 前記スーパーパケット（ＳＰ）は、前記トランスポートパケット（ＴＰ）と、前記コピー制御語（ＣＣ）を含むヘッダとにより構成される、前記１記載の装置。
７． 複製装置（２００）を制御するため前記コピー制御語（ＣＣ）を供給する手段（１５１）を更に有する前記１記載の装置。
８． 圧縮デジタルビデオ及び制御データを含むトランスポートパケットを表す信号（１０１Ａ）を処理する装置において、コピー制御データを含むソーストランスポートパケット（１０１）が供給され、アナログ信号（１１２）を復号化する手段（１０２／１０９）と、前記ソース（１０１）に接続され、前記トランスポートパケット（１０１Ａ）から前記コピー制御データ（１０４Ａ）を読み出す手段（１０４）と、前記コピー制御データ（１０４Ａ）に応じてコピー制御信号（ＣＣＳ）を形成する手段と、前記コピー制御信号（ＣＣＳ）を前記アナログ信号（１１２）と結合する手段とを含む装置。
９． トランスポートパケット（１０１Ａ）に現れるデジタルビデオ及び制御データを処理する装置において、前記ソースに応じて前記トランスポートパケット（１０１Ａ）からコピー制御データ（１０４Ａ）を取得する手段（１０４）と、第１の条件で前記コピー制御データ（１０４Ａ）がコピーの許可を表し、コピーのための前記トランスポートパケット（１０２Ａ）のカップリングが許可され、第２の条件で前記コピー制御データ（１０４Ａ）はコピーの禁止を表し、コピーのための前記トランスポートパケット（１０２Ａ）のカップリングが禁止される形で前記コピー制御データ（１０４Ａ）に応じて、コピーのため前記トランスポートパケット（１０２Ａ）のカップリングを禁止する手段（１１１）とを含む装置。
１０． 前記第１の条件において、前記コピー制御データ（１０４Ａ）はコピーの許可を表し、前記制御手段（１１１）はトランスポートパケットの復号化を禁止する、前記９記載の装置。
１１． スーパーパケット（ＳＰ）に現れる圧縮デジタルビデオ及び制御データをコピーする装置（２００）において、コピー制御語（ＣＣ）及びトランスポートパケット（ＴＰ）を含む前記スーパーパケット（ＳＰ）のソース（１０２）に応じて、前記スーパーパケット（ＳＰ）から前記コピー制御語（ＣＣ）を読み出す手段（３０）と、前記ソース（１０２）に接続され、前記スーパーパケット（ＳＰ）をコピーする手段（２０６Ａ）と、前記コピー制御語（ＣＣ）に応じて、前記コピー手段（２００）を制御する手段（２０８）とを有する装置。
１２． 前記コピー制御語（ＣＣ）は多数回のコピーを許可する制御条件を表す、前記１１記載の装置。
１３． 前記コピー制御語（ＣＣ）はコピーを禁止する制御条件を表す、前記１１記載の装置。
１４． 前記コピー制御語（ＣＣ）は１回だけのコピーを許可する制御条件を表す、前記１１記載の装置。
１５． １回だけのコピーの許可を表す前記コピー制御語（ＣＣ）に応じて、前記制御手段（２０８）はコピーの禁止を示すため前記コピー制御語を更新する、前記１４記載の装置。
１６． １回だけのコピーの許可を表す前記コピー制御語（ＣＣ）に応じて、前記制御手段（２０８）はコピーのため供給されたスーパーパケット（ＳＰａ）におけるコピーの禁止を示すため前記コピー制御語を更新する、前記１４記載の装置。
１７． 前記１回だけのコピー（２１０）はコピーを禁止するため更新された前記コピー制御語（ＣＣ）を含む、前記１６記載の装置。
１８． 前記コピー手段（２００）によって発生されたコピー（２１０）はスーパーパケット（ＳＰａ）及び前記コピー制御語（ＣＣ）を含む、前記１１記載の装置。
１９． 前記コピー制御語（ＣＣ）は１回だけのコピーを許可し、前記コピー手段（２００）によって発生されたコピー（２１０）はスーパーパケット（ＳＰａ）及びコピーを禁止するコピー制御語（ＣＣ）を含む、前記１１記載の装置。
２０． コピー制御データ（１０４Ａ）を示す制御信号（ＣＴＲＬ）を受信する手段（１０２）を更に有する前記１１記載の装置。
２１． 前記制御手段（２０８）は、前記コピー制御語（ＣＣ）と、前記コピー制御データ（１０４Ａ）を示す前記制御信号（ＣＴＲＬ）の中の一方に応答する、前記２０記載の装置。
２２． コピーを禁止するコピー制御語（ＣＣ）は、制御信号導体（ＣＲＬ）に供給する制御信号（ＣＴＲＬ）を発生させる、前記１９記載の装置。
２３． 前記コピー制御語（ＣＣ）に応じて、コピー許可条件中に、信号ＩＮＨＰＢは、前記コピー装置（２００）からの出力トランスポートパケット信号（ＰＢＳＰ）を抑止する、前記１１記載の装置。
２４． 前記制御信号（ＣＴＲＬ）に応じて、トランスポートパケット信号の復号化は第１の条件で許可され、トランスポートパケット信号の復号化は第２の条件で禁止される、前記１１記載の装置。
２５． 前記第２の条件はコピーを許可する、前記２４記載の装置。
２６． 記録装置（２００）を制御する装置（１００）において、トランスポートパケット（１０２Ａ）に現れる圧縮デジタルビデオ及び制御データのソース（１０１）に応じて、前記トランスポートパケット（１０２Ａ）からコピー制御データ（１０４Ａ）を取得する手段（１０４）と、前記コピー制御データ（１０４Ａ）に応じて、コピー制御語（ＣＣ）を発生させる手段（１０５）と、前記コピー制御語（ＣＣ）に応じて前記記録装置（２００）を制御するため、前記コピー制御語（ＣＣ）をデータバス（ＣＲＬ）を介して供給する手段（１５１）とを有する装置。
２７． 前記コピー制御語（ＣＣ）は複数の制御条件を表す、前記２６記載の装置。
２８． 前記記録装置は前記コピー制御語（ＣＣ）を周期的に受信し、周期的な受信が無い場合に、前記記録装置（２００）はコピー禁止状態であると判定する、前記２６記載の装置。
２９． トランスポートパケットに現れる圧縮デジタルビデオ及び制御データを記録する装置（２００）において、コピー制御語（ＣＣ）及びトランスポートパケット（ＴＰ）を含むスーパーパケット信号（ＳＰ）を受信するため接続された第１の受信手段（１０２）と、コピー制御データ（１０４Ａ）を表すデータを含む制御データを受信するため接続された第２の受信手段（１０２Ｃ）と、前記第１の受信手段に接続され、前記スーパーパケットから前記コピー制御語を読み出す手段と、前記第１の受信手段（１０２）に接続され、前記スーパーパケットをコピーする手段（２０６Ａ）と、前記読み出す手段（３０）及び前記第２の受信手段に接続され、前記コピー制御語（ＣＣ）によって表現された情報と、前記コピー制御データ（１０４Ａ）を表す前記制御データ（ＣＴＲＬ）によって表現された情報との対応関係に応じて、前記コピーする手段（２０６Ａ）を制御する制御手段（２０８）とを有する装置。
３０． 前記第２の受信手段（１０２Ｃ）は、前記コピー制御データ（１０４Ａ）を表す前記データ（ＣＴＲＬ）を周期的に受信し、周期的な受信が無い場合に、前記記録装置（２００）はコピー禁止状態であると判定する、前記２９記載の装置。
３１． トランスポートパケット（２１０Ａ）に現れるデジタルビデオ及び制御データのソース（２１０）を処理する装置（２００Ｐ）において、前記ソース（２１０）に応じて、前記トランスポートパケット（２１０Ａ）からコピー制御データ（ＣＣ）を取得する手段（２０３）と、宛先の装置を決定し、前記コピー制御データ（ＣＣ）に応じて前記トランスポートパケット（ＳＰ）の前記宛先へのカップリングを制御する、制御手段（２０８）とを有し、前記コピー制御データ（ＣＣ）がコピー禁止を表すとき、前記制御手段（２０８）は前記宛先に複製装置が存在することを判定し、前記制御手段（２０８）は前記トランスポートパケット（ＳＰ）の前記宛先へのカップリングを阻止し、第２の条件において、前記制御手段（２０８）は前記複製装置が存在しないことを判定し、前記制御手段（２０８）は前記トランスポートパケット（ＳＰ）の前記宛先へのカップリングを許可する装置。
【図１】
2010283871.tif 000004
【図２】
2010283871.tif 000005
【図３】
2010283871.tif 000006
【図４】
2010283871.tif 000007